(57)【要約】      （修正有）【課題】直管蛍光灯型ＬＥＤ照明器の取り付けの際に、直管蛍光灯型ＬＥＤ照明器の本体で供給電源の遮断を可能とする事で、感電を防止し、安全性の向上を図った直管蛍光灯型ＬＥＤ照明器を提供する。【解決手段】ＬＥＤ素子を光源として使用する直管蛍光灯型ＬＥＤ照明器に、電源変換部と、ＬＥＤ素子を点灯するＬＥＤ回路基板と、該ＬＥＤ回路基板を収容し、ＬＥＤ素子から放出された光を拡散する発光面を備えたケース２で構成するＬＥＤ管と、該ＬＥＤ管の両端にはめ込まれ灯器具からの交流電源が供給される電源接続部８を備え、電源接続部には電源変換部に電源の供給または遮断させるスイッチ部３を備えることで直管蛍光灯型ＬＥＤ照明器を灯器具への取付け作業時の感電を防止する。【選択図】図２
0003167851.tif 000002
【実用新案登録請求の範囲】
【請求項１】
光源としてＬＥＤ素子が配列され、前記ＬＥＤ素子を点灯するＬＥＤ回路基板と、交流電源を直流電源に変換し前記ＬＥＤ回路基板に電源を供給する電源変換部と、前記電源変換部と前記ＬＥＤ回路基板を収容し、前記ＬＥＤ素子から放出された光を拡散する発光面を備えたケースで構成されたＬＥＤ管と、前記ＬＥＤ管の両端にはめ込まれて結合され、灯器具からの供給電源を前記電源変換部に供給する電源接続端子を備えた口金部を有する電源接続部と、前記電源接続端子の供給電源を前記電源変換部に供給または遮断させる為のスイッチ部を前記電源接続部の視覚的に認識可能な位置に備える事を特徴とする直管蛍光灯型ＬＥＤ照明器。
【請求項２】
前記電源接続部に前記電源接続端子を備えた前記口金部を有し、電源を供給または遮断する前記スイッチ部を嵌入する開口部を備え、前記電源供給端子と前記スイッチ部を結線後、前記スイッチ部を前記開口部に嵌入させ、前記ＬＥＤ管に前記電源接続部を嵌入時に、前記ＬＥＤ管に収容されている前記電源変換部へ電源を供給する電源ラインと前記スイッチ部が結線され、前記電源接続部は前記スイッチ部と前記電源供給端子を備えた前記口金部とで構成される事を特徴とする請求項１に記載の直管蛍光灯型ＬＥＤ照明器。
【考案の詳細な説明】
【技術分野】
【０００１】
本考案は、ＬＥＤ素子を配置した直管蛍光灯型ＬＥＤ照明器に関する。
【背景技術】
【０００２】
従来の直管蛍光灯は、蛍光灯管にガラス管を使用し、ガラス管内部に封入されたアルゴンガスと水銀蒸気の混合気体中に高圧放電させることで、前記混合気体から発生した紫外線が前記ガラス管内面に塗布された蛍光材に照射されて蛍光材が白色に発光するという原理を利用したものであり、灯器具は蛍光灯を点灯させるためにグロースタータによる予熱始動式安定器や、インバータ方式安定器等で構成される。ここで直管蛍光灯を灯器具に取り付けた物を照明装置とする。
【０００３】
最近では、光源としてＬＥＤ素子を実装した直管蛍光灯型ＬＥＤ照明器が製品化されており、照明装置の直管蛍光灯を直管蛍光灯型ＬＥＤ照明器に取替えることが増えてきている。直管蛍光灯型ＬＥＤ照明器が使用される背景には、直管蛍光灯型ＬＥＤ照明器は、交流電源から直流電源を生成して光源のＬＥＤ素子を点灯させており、直流電源の低い電圧で容易に点灯制御が可能な為、消費電力が少ない為と、フィラメントの断線等による不点灯になりにくいといった長期信頼性が高い為である。又、放電を行わないことから破損しやすいガラス管を樹脂等に変更して用いることが可能であり、対衝撃性にも優れている。さらに、交流電源で駆動するＬＥＤ素子を用いた直管蛍光灯型ＬＥＤ照明器も開発されている。
【０００４】
照明装置の直管蛍光灯を直管蛍光灯型ＬＥＤ照明器に取替える場合、直管蛍光灯を取り外した後、内部にバネ部材を有する挿入型ソケットを２つ向かい合わせで配置した灯器具に直管蛍光灯型ＬＥＤ照明器の一端の電源接続端子を一方の挿入型ソケットに設けられた端子孔に挿入し、直管蛍光灯型ＬＥＤ照明器を挿入方向に押し込みながら他端の電源接続端子をもう一方の挿入型ソケットの端子孔に差し込むことで直管蛍光灯型ＬＥＤ照明器を取り付ける作業は完了する。
【０００５】
この作業において、照明装置の点灯及び消灯を行う為の電源操作スイッチを切らずに、灯器具に電源が供給されたまま、直管蛍光灯型ＬＥＤ照明器の灯器具への取り付けが行われる場合がある。
【０００６】
前記の場合、灯器具は、２つの向かい合わせで配置した挿入型ソケットのそれぞれの端子孔から電源を供給する構造である為、一方の挿入型ソケットに設けられた端子孔に直管蛍光灯型ＬＥＤ照明器の一端の電源接続端子を挿入すると直管蛍光灯型ＬＥＤ照明器に電圧が印加された状態となり、もう一方の挿入型ソケットの端子孔に直管蛍光灯型ＬＥＤ照明器の他端の電源接続端子を差し込む時、前記他端の電源接続端子が配置された口金部を手で持ちながら差し込む場合があり、この取付け作業者は直管蛍光灯型ＬＥＤ照明器に電圧が印加された状態のまま前記口金部を手で持ち、その持ち方によっては前記口金部の電源接続端子に手あるいは体の一部が接触したまま取付け作業をしてしまうことになる。
【０００７】
従来の直管蛍光灯は、両端それぞれの電源接続端子に蛍光灯管内でフィラメントが接続されており、点灯時に灯器具から蛍光灯管の両端の口金部の電源接続端子を介してフィラメントに電圧を印加することで、両端のフィラメントから放出される電子と封入された混合気体によって発生する紫外線が蛍光管内の蛍光材に照射されて発光する。この為、蛍光管内には電源回路や光源等を配置した回路基板がなく、直管蛍光灯の両端の電源接続端子どうしは電気的に接続されていない構造となっている。従って前記のように口金部を手で持ちながら取替え作業を行い、口金部の電源接続端子に取替え作業者の手あるいは体の一部が接触しても、商用電源が供給されている灯器具の電源が、灯器具から一方の挿入型ソケットの端子孔に差し込まれた直管蛍光灯の電源接続端子に接続されているフィラメントには電圧が印加されるが、他方の手あるいは体の一部が接触した電源接続端子に接続されているフィラメントには電圧は印加されない。
【０００８】
しかし、直管蛍光灯型ＬＥＤ照明器は、その内部に電源変換部と光源のＬＥＤ素子を配列したＬＥＤ回路基板を収納し、灯器具から電源接続端子を備える電源接続部と電源変換部を介してＬＥＤ回路基板に電源を供給することでＬＥＤ素子が点灯する為、両端の電源接続端子は直管蛍光灯型ＬＥＤ照明器の電源変換部を介して電気的に接続されている構造となっている。電源接続部は口金部を有しており、前記のように口金部を持つ手が電源接続端子にも接触したまま取付け作業を行っている時に、その作業者の他の体部分が大地アースとつながっている別の導電性の物体や、大地アースと接触しまうと、商用電源が供給されている灯器具の電源から、灯器具から挿入型ソケットに挿入されている一端の直管蛍光灯型ＬＥＤ照明器の口金部に配置された電源接続端子と、その一端の電源接続端子からＬＥＤ管内の電源変換部を介して他端の口金部に配置された電源接続端子に印加される為、電源接続端子に接触している作業者にも電気が伝わってしまうことになる。これがその作業者の他の人体部分から別の導電性の物体を介して大地へ電流が流れる経路を形成することになり、結果、その作業者の人体に電気が流れ感電してしまう。
【０００９】
そこで、例えば一つの操作スイッチで、天井に配置された複数の照明装置の操作を行う供給電源方式になっている場合には、作業の必要の無い照明装置まで消灯しない事が望まれる為、直管蛍光灯型ＬＥＤ照明器の取付け作業を行う場合、取付け作業者が感電しない構造が必要である。
【００１０】
特許文献１の直管蛍光灯型ＬＥＤ照明器では、両端に口金部および口金ピンを有する直管蛍光灯型ＬＥＤ照明器と、口金ピンが嵌合するソケットを有するとともに電源から直管蛍光灯型ＬＥＤ照明器に電圧を印加する灯器具を具え、直管蛍光灯型ＬＥＤ照明器は、一方端の口金ピンとＬＥＤ回路を接続させ、他方端の口金ピンはＬＥＤ回路と接続させず、灯器具は、一方のソケットは電源と接続させ、他方のソケットを電源と接続させない事により、一方端の口金ピンと一方のソケットからＬＥＤ回路に電源の供給を行い、他方端の口金ピンと他方のソケットには電源の供給を行わないことを特徴としている。
【００１１】
特許文献２の電球型照明器具では、ＬＥＤ点灯装置を、口金部を有する白熱電球と同じ外径の筐体内に一体に装着し、白色発光手段および有色ＬＥＤを互い違いに均等に配設し、電球色を白若しくは有色に切り替える手段としてスイッチを筐体に設けた事を特徴としている。
【００１２】
特許文献３の照明器具用配線器具では、引掛シーリングと照明器具とを電気的に接続するように構成され、照明器具に供給される交流電源を変化させて照明器具を調光する調光回路と、調光を電源投入後時間の経過に沿って徐々に一定値に近づける第１のモードと、電源投入時から一定とする第２のモードとで切り替えるスイッチ回路を備え、切り替えの為のスイッチを、調光回路を格納した本体に備えた事を特徴とする。
【００１３】
特許文献４のＬＥＤ蛍光灯では、ＬＥＤ蛍光灯取り付け装置に向けて当接するように付勢された当接部材と、接続端子が対応するＬＥＤ蛍光灯取り付け装置の被接続端子に接続された場合に、当接部材がＬＥＤ蛍光灯取り付け装置に当接することにより押圧され通電をオンし、接続端子が対応する被接続端子に接続されない場合、当接部材がＬＥＤ蛍光灯取り付け装置に当接しないことにより押圧されず通電をオフする安全スイッチ手段を備えた事を特徴とする。
【００１４】
特許文献５の蛍光灯型照明管では、ＬＥＤ素子を配列した蛍光灯型照明管本体と、本体の両端に配置され従来型蛍光灯に対する端子を備えた支持部と、支持部に配置され、蛍光灯型照明管本体に対する端子からの供給電源のオン／オフを切り替えるためのスイッチを有し、スイッチは、ぶら下げられた紐を引っ張ることでオン／オフ動作するプルスイッチである事を特徴とする。
【００１５】
【特許文献１】特開２００２−０１６８８５号公報
【特許文献２】特開２００４−１１１１０４号公報
【特許文献３】特開２００３−３３８３８８号公報
【特許文献４】特開２０１０−１９２２２９号公報
【特許文献５】実用新案登録第３１４７６０８号公報
【考案の概要】
【考案が解決しようとする課題】
【００１６】
特許文献１の直管蛍光灯型ＬＥＤ照明器は、ソケットの一方に電源の供給を行わない回路構成が必要であり、従来の蛍光灯に、光源をＬＥＤ素子に対応した直管蛍光灯型ＬＥＤ照明器をそのまま取付ける事は不可能である。また、既に設置されている照明装置を、ソケットの一方に電源の供給を行わない回路構成に変更した照明装置に切り替えていくにはコストがかかってしまう。
【００１７】
特許文献２の電球型照明器具は、電球の筐体に電球色を切り替える為のスイッチを配置させた内容であり、電源の供給を制御し、電球の取付け作業時の感電を防止する発明ではない。
【００１８】
特許文献３の照明器具用配線器具は、電源投入後の調光方法を切り替える為のスイッチを配置させた内容であり、電源の供給を制御し、電球の取付け作業時の感電を防止する発明ではない。
【００１９】
特許文献４のＬＥＤ蛍光灯は、ＬＥＤ蛍光灯取り付け装置に向けて当接するように付勢された当接部材を設けて、ＬＥＤ蛍光灯取り付け装置に当接部材が押圧されて当接するか否かによって電源の供給を制御する為、押圧する圧縮バネを使用したスイッチピン等の複雑な構造が必要であり、コストも要してしまう。
【００２０】
特許文献５の蛍光灯型照明管は、蛍光灯型照明管本体から供給電源のオン／オフを切り替えるスイッチとして紐をぶら下げて構成し、ぶら下げられた紐を引っ張ることで蛍光灯型照明管のオン／オフ動作をさせる内容であり、取替え作業時に紐が人体や他の部分に引っかかれば作業効率に影響し、紐が切れてしまうとオン／オフの動作もできなくなる。また紐がぶら下がっている状態は視覚的に良くない。
【００２１】
本考案の目的は、上記実状に鑑み、直管蛍光灯型ＬＥＤ照明器の取付け作業において、灯器具等を感電防止した構造のものに交換せずコストを抑えつつ、作業者の感電防止と、安全性を向上させた直管蛍光灯型ＬＥＤ照明器の提供を目的とする。
【課題を解決するための手段】
【００２２】
請求項１に係る直管蛍光灯型ＬＥＤ照明器は、光源としてＬＥＤ素子が配列され、前記ＬＥＤ素子を点灯するＬＥＤ回路基板と、交流電源を直流電源に変換し前記ＬＥＤ回路基板に電源を供給する電源変換部と、前記電源変換部と前記ＬＥＤ回路基板を収容し、前記ＬＥＤ素子から放出された光を拡散する発光面を備えたケースで構成されたＬＥＤ管と、前記ＬＥＤ管の両端にはめ込まれて結合され、灯器具からの供給電源を前記電源変換部に供給する電源接続端子を備えた口金部を有する電源接続部と、前記電源接続端子の供給電源を前記電源変換部に供給または遮断させる為のスイッチ部を前記電源接続部の視覚的に認識可能な位置に備える事を特徴とする。
【００２３】
請求項２に係る直管蛍光灯型ＬＥＤ照明器は、請求項１に記載の直管蛍光灯型ＬＥＤ照明器であって、電源接続部に電源接続端子を備えた口金部を有し、電源を供給または遮断するスイッチ部を嵌入する開口部を備え、電源供給端子とスイッチ部を結線後、スイッチ部を開口部に嵌入させ、ＬＥＤ管に電源接続部を嵌入時に、ＬＥＤ管に収容されている電源変換部へ電源を供給する電源ラインとスイッチ部が結線され、電源接続部はスイッチ部と電源供給端子を備えた口金部とで構成される事を特徴とする。
【考案の効果】
【００２４】
請求項１の考案によれば、直管蛍光灯型ＬＥＤ照明器に設けたスイッチで電源変換部への供給電源の遮断が行える為、スイッチをオフしておくことだけで直管蛍光灯型ＬＥＤ照明器のＬＥＤ管内を電気的に遮断出来、口金部に配置した電源接続端子に手等が接触した状態で取付け作業を行っても感電することのない、安全な直管蛍光灯型ＬＥＤ照明器の取付け作業を実現できる。又、連動している他の照明装置を消灯させることなく、必要な照明装置のみ取付け作業が行え、ソケットの一方のみに電源を供給する灯器具を備えた照明装置に交換する必要も無くコストも抑えられる。又、工場出荷時はスイッチをオフにして出荷することも可能な為、直管蛍光灯型ＬＥＤ照明器の取付け作業時に電源接続端子に接触したまま作業を行うことや、電源操作スイッチを切り忘れたまま作業を行う等、作業者が無意識に作業を行ってもスイッチのオフ状態で直管蛍光灯型ＬＥＤ照明器の取付け作業が行える為、作業者の感電が確実に防止出来る。
【００２５】
請求項２の考案によれば、電源接続部にスイッチを配置し、スイッチを前記電源接続部の開口部に篏入させて結線するだけの簡単な構造である為、組立て工数も少なくて良く、直管蛍光灯型ＬＥＤ照明器がコストをかけずに簡単な構成で実現できる。
【００２６】
このように直管蛍光灯型ＬＥＤ照明器の取付け作業を行う場合、感電を防止し、安全性を向上させた作業が可能な直管蛍光灯型ＬＥＤ照明器が実現できる。
【図面の簡単な説明】
【００２７】
【図１】本考案の実施例における直管蛍光灯型ＬＥＤ照明器の外観図である。
【図２】本考案の実施例における直管蛍光灯型ＬＥＤ照明器のスイッチ部の図である。
【図３】本考案の実施例における直管蛍光灯型ＬＥＤ照明器の組立図である。
【図４】本考案の実施例における直管蛍光灯型ＬＥＤ照明器の組立図である。
【図５】本考案の実施例における直管蛍光灯型ＬＥＤ照明器の組立図である。
【図６】本考案の実施例における直管蛍光灯型ＬＥＤ照明器の組立図である。
【図７】本考案の実施例における直管蛍光灯型ＬＥＤ照明器の組立図である。
【図８】本考案の実施例における直管蛍光灯型ＬＥＤ照明器の組立図である。
【図９】本考案の実施例における直管蛍光灯型ＬＥＤ照明器の組立図である。
【図１０】本考案の実施例における直管蛍光灯型ＬＥＤ照明器の回路ブロック図である。
【図１１】本考案の実施例における直管蛍光灯型ＬＥＤ照明器の回路ブロック図である。
【考案を実施するための形態】
【００２８】
図１から図１１を参照して本考案の実施形態を説明する。なお、本考案はその主旨に反しない範囲で、実施例において説明した構成以外に対しても適用可能である。
【００２９】
図１は、本考案の実施例における直管蛍光灯型ＬＥＤ照明器１の外観図であり、同図で示すように、直管蛍光灯型ＬＥＤ照明器１はＬＥＤ素子を配置させた図示しないＬＥＤ回路基板と、ＬＥＤ回路基板に電源を供給する電源変換部を収容してＬＥＤ素子から放出された光を拡散する発光面を備えたケース２から構成されるＬＥＤ管７と、ＬＥＤ管７の両端にはめ込まれる電源接続部８と、電源接続部８に組み込まれ図示しない灯器具と接続して電源を供給してもらう為の電源接続端子１０を備えた口金部９と、両端の電源接続部８のいずれか一方の電源接続部８には電源変換部への供給電源を遮断するスイッチ部３が配置されている。スイッチ部３は、視覚的にオン／オフの状態が認識可能なシーソースイッチとすれば良いが、スライドスイッチでも良く、視覚的にオン／オフが認識できるスイッチであれば何でも良い。
【００３０】
図２はＬＥＤ管７の一方の端部の電源接続部８にスイッチ部３を配置した図であり、この直管蛍光灯型ＬＥＤ照明器１は、図示しない灯器具のソケット部に装着して使用可能に構成される。ＬＥＤ管７は、透明又は半透明の円筒状のケース２内に、図示しない複数のＬＥＤ素子を配置した長尺のＬＥＤ回路基板４を有する。ＬＥＤ回路基板４は、ケース２の長手方向に延在するように設けられており、ケース２の両端には、口金部９が組み込まれた電源接続部８が該ケース２の両端を閉塞するような状態で取付けられている。電源接続部８のいずれか一方には電源変換部５の供給電源を遮断する為のスイッチ部３が配置されている。また口金部９には、灯器具のソケット部に嵌合装着される口金ピンである電源接続端子１０（１０ａ、１０ｂ）が取り付けて構成される。他方の電源接続端子１０（１０ｃ、１０ｄ）も電源変換部５に電気的に接続されている。該電源接続部８に配置されたスイッチ部３の操作によって供給電源の供給もしくは遮断が可能となる。ＬＥＤ管７を構成するケース２は、透明又は半透明で透光性を有しており、内側面のＬＥＤ素子に対向する面には、図示しないが光の拡散率、発光色、照度を調整する樹脂膜を任意に設けておく。このケース２を構成する材料は従来のガラスでもよいが、例えば、ポリカーボネートやアクリル等の樹脂を用いて構成すれば良い。樹脂で構成する方が、直管蛍光灯型ＬＥＤ照明器１の取り扱いが容易であり、衝撃等により直管蛍光灯型ＬＥＤ照明器１が破損しにくくなる。
【００３１】
図３から図９は、実施形態の直管蛍光灯型ＬＥＤ照明器１の組立図を示す。図３は電源接続部８に組み込まれる口金である口金部９と、直管蛍光灯型ＬＥＤ照明器１への供給電源の供給もしくは遮断を行うスイッチのスイッチ部３を示している。口金部９には図２のように電源接続端子１０を形成する一対の電源接続端子１０ａ、１０ｂで構成されている。尚、電源接続端子１０ａ、１０ｂは口金ピンである。
【００３２】
図４はスイッチ部３と口金部９と電源接続部８の組立図を示しており、スイッチ部３の端子１９と口金部９の電源接続端子１０の内側の端子２１をそれぞれ線材１１にて結線する。結線はハンダ付けで良い。結線後、スイッチ部３を電源接続部８の開口部１７から開口部１６に挿通させる。
【００３３】
図５は前述の図４のように口金部９と線材１１で結線されたスイッチ部３を電源接続部８に挿通させた状態の図である。
【００３４】
図６は電源接続部８に口金部９と結線されたスイッチ部３の組立図を示しており、口金部９を電源接続部８に組み込み、さらにスイッチ部３を電源接続部８に設けた開口部１５に嵌入する。嵌入する場合、線材１１を電源接続部８に設けたスリット部１８に挿通させ、線材１１を電源接続部８内で屈折させてスイッチ部３を開口部１５に嵌入する。このとき、スイッチ部３の線材１１が結線されている端子１９を口金部９側にし、結線されていない端子２０を開口部１６側にする。
【００３５】
図７は図６の組み立てによって、電源接続部８にスイッチ部３が嵌入され完成した図である。
【００３６】
図８は、電源接続部８に電源を供給する為のコネクタ１３を結線する図を示しており、電源接続部８に嵌入させたスイッチ部３の結線されていない端子２０に、ＬＥＤ管７のケース２内に収容されているＬＥＤ回路基板４に電源を供給する電源変換部５と接続する為のコネクタ１３の線材１２を結線する。結線はハンダ付けで良い。
【００３７】
図９は、電源接続部８とＬＥＤ管７を接続する組立図を示しており、電源接続部８に結線されたコネクタ１３と、ＬＥＤ管７のケース２内に収容されているＬＥＤ回路基板４に電源を供給する電源変換部５と結線されているコネクタ１４とを接続する。コネクタ１３とコネクタ１４の接続後、ＬＥＤ管７に電源接続部８を挿嵌する。
【００３８】
以上のように図３から図９にように組み立てることで直管蛍光灯型ＬＥＤ照明器１を形成する。そして電源接続部８に設けたスイッチ部３によって、照明装置の直管蛍光灯から直管蛍光灯型ＬＥＤ照明器１の取替え作業時、工場出荷時からスイッチ部３がオフされ直管蛍光灯型ＬＥＤ照明器１のＬＥＤ管７内で供給電源を確実に遮断した取付け作業を可能とすることで、電源接続端子１０に接触して作業を行ったり、電源操作スイッチを切らずに作業を行ったり、大地アースに接触して作業を行ったり等、作業者が無意識に作業を行っても作業者が感電することなく安全に取付け作業が行える。又、各々の直管蛍光灯型ＬＥＤ照明器にて供給電源の遮断が行える為、取替え作業の必要の無い照明装置まで消灯しなければならない事も防止できる。さらに、スイッチも視覚的に認識可能な構成である為、作業者も直管蛍光灯型ＬＥＤ照明器のスイッチの位置とオン／オフの状態を確認出来、スイッチを確実にオフして直管蛍光灯型ＬＥＤ照明器への取替え作業が行える。尚、直管蛍光灯型ＬＥＤ照明器を取付け後は、スイッチ部３の近傍に注意ラベルを貼りスイッチ部３をオンする様に表示すれば良い。
【００３９】
尚、スイッチ部３は電源接続部８の発光面と同一の面に設けた構成としているが、ＬＥＤ管７のケース２の発光面を妨げない部分や、電源接続部８において取付け作業者が作業しやすい位置であれば、適宜変更しても良い。
【００４０】
図１０は本考案の実施例におけるグロータイプの灯器具に取り付ける直管蛍光灯型ＬＥＤ照明器１の回路図例である。グロータイプはグロー管という点灯管３１を用い、電圧を印加すると点灯管３１の接点が閉じることで電源が供給され点灯する。グロータイプの場合、電源供給端子１０の内部では、電源接続端子１０ａ、１０ｂで結線され、電源接続端子１０ｃ、１０ｄで結線されている為、電源変換部５にはそれぞれ電源ライン３３ａ、３３ｂが結線され電源が供給される。従って電源ライン３３ａ、３３ｂのいずれか一方に供給電源の遮断を行うスイッチ部３を設ける回路構成となっている。
【００４１】
図１１は本考案の実施例におけるラピッドタイプの灯器具に取り付ける直管蛍光灯型ＬＥＤ照明器１の回路図例である。ラピッドタイプはグロー管という点灯管３は不要であり、安定器３０に電圧を印加すると安定器３０が予熱を行って高電圧を発生させて点灯する。その為、安定器３０から電源が供給される為、電源供給端子１０の電源接続端子１０ａ、１０ｂ、１０ｃ、１０ｄにおいては安定器３０からの電源ラインが各々接続されている。電源供給端子１０の内部では、電源接続端子１０ａ、１０ｂ、１０ｃ、１０ｄがそれぞれ電源変換部５に電源ライン３４ａ、３４ｂ、３４ｃ、３４ｄで結線され電源が供給される為、電源ライン３４ａ、３４ｂ、３４ｃ、３４ｄのいずれか一方の対をなす電源ラインの供給電源の遮断を行うスイッチ部３を設ける回路構成となっている。
【００４２】
このようにいずれのタイプの灯器具にもスイッチ部３を設けることで、スイッチ部３のオン／オフによる直管蛍光灯型ＬＥＤ照明器１における回路内で供給電源の遮断が行え、作業者が感電することなく安全な取付け作業が行える。
【００４３】
なお、本考案の直管蛍光灯型ＬＥＤ照明器において、直管蛍光灯型ＬＥＤ照明器の形状や大きさ、長さ、照明の色、スイッチ部の形状やスイッチ部の位置等は適宜変更可能であり、本実施例に限定するものではなく、本考案の主旨に反しない範囲において適宜選定すればよい。
【符号の説明】
【００４４】
１  直管蛍光灯型ＬＥＤ照明器
２  ケース
３  スイッチ部
４  ＬＥＤ回路基板
５  電源変換部
６  電源
７  ＬＥＤ管
８  電源接続部
９  口金部
１０  電源接続端子
１０ａ、１０ｂ、１０ｃ、１０ｄ  電源接続端子
１１  、１２  線材
１３、１４  コネクタ
１５  １６、１７  開口部
１８  スリット部
１９、２０、２１  端子
３０  安定器
３１  点灯管
３３ａ、３３ｂ、３４ａ、３４ｂ、３４ｃ、３４ｄ  電源ライン
【図１】
0003167851.tif 000003
【図２】
0003167851.tif 000004
【図３】
0003167851.tif 000005
【図４】
0003167851.tif 000006
【図５】
0003167851.tif 000007
【図６】
0003167851.tif 000008
【図７】
0003167851.tif 000009
【図８】
0003167851.tif 000010
【図９】
0003167851.tif 000011
【図１０】
0003167851.tif 000012
【図１１】
0003167851.tif 000013